(57)【要約】【課題】  コイルバネのコイルが相互に接触することによる騒音を低減させることができ、コイルバネ自体の劣化も抑制することができる圧縮機の支持装置を提供する。【解決手段】  圧縮機本体５に設けた上部リテーナ６と、密閉ケース２に設けた下部リテーナ９と、これら両リテーナ６、９に挿入されたコイルバネ１１とで圧縮機本体５を密閉ケース２内に支持する。コイルバネ１１は、上下端にそれぞれ形成されて上部リテーナ６及び下部リテーナ９にそれぞれ挿入される上下座巻部１２、１４と、この上下座巻部１２、１４間に位置する有効巻部１３とを備える。有効巻部１３を、一巻き毎にオフセットさせることにより、上下の座巻部１２、１４を上部リテーナ６及び下部リテーナ９の位置に対応させる。【選択図】図１
2006002684.tif 000002
【特許請求の範囲】
【請求項１】
圧縮機本体に設けた上部リテーナと、密閉ケースに設けた下部リテーナと、これら両リテーナに挿入されたコイルバネとで前記圧縮機本体を前記密閉ケース内に支持して成る圧縮機において、
前記コイルバネは、上下端にそれぞれ形成されて前記上部リテーナ及び下部リテーナにそれぞれ挿入される座巻部と、該上下の座巻部間に位置する有効巻部とから成り、
該有効巻部を、一巻き毎にオフセットさせることにより、前記上下の座巻部を前記上部リテーナ及び下部リテーナの位置に対応させたことを特徴とする圧縮機の支持装置。
【発明の詳細な説明】
【技術分野】
【０００１】
本発明は、圧縮機本体に設けた上部リテーナと、密閉ケースに設けた下部リテーナに挿入されたコイルバネにより圧縮機本体を密閉ケース内に支持して成る圧縮機の支持装置に関するものである。
【背景技術】
【０００２】
従来よりこの種圧縮機の支持装置は、密閉ケース内に圧縮機本体を収納し、この圧縮機本体の枠体に鋳鉄の鋳造により３〜４箇所の上部リテーナを一体に形に成すると共に、密閉ケースに固着された金具に上部リテーナに対応して下部リテーナを設けている。そして、上部リテーナと下部リテーナの双方に円筒形で真っ直ぐなコイルバネを挿入し、これによって圧縮機本体を密閉ケースに弾性的に支持していた。
【０００３】
このような密閉ケース内にコイルバネで圧縮機本体を支持している圧縮機の支持装置においては、圧縮機本体と密閉ケースとの間の隙間が狭いと、圧縮機本体が振動した場合に、圧縮機本体に上部リテーナを一体に形成した枠体が密閉ケースに当たって異音が発生してしまう。
【０００４】
そこで、密閉ケースと上部リテーナとが接触しないように、上部リテーナと密閉ケースとの間に所定の間隔を空けなければならない。このため、上部リテーナと下部リテーナは鉛直方向の上下に対応できず、上部リテーナは下部リテーナより内側における上方に位置していた（例えば、特許文献１参照）。
【特許文献１】実開昭６２−６６２７９号公報
【発明の開示】
【発明が解決しようとする課題】
【０００５】
しかしながら、圧縮機の支持装置は、密閉ケースに設けた下部リテーナに対して、圧縮機本体に設けた上部リテーナが下部リテーナより内側に位置した状態で、真っ直ぐな円筒状に巻回されたコイルバネを用いていたため、下部リテーナと上部リテーナに挿入される以外の有効巻部が無理に斜めに傾斜されて取り付けられる。そのため、不規則な変形がコイルバネに生じて振動が加わったときにコイルバネの上下のコイルが当たり、騒音が生じる問題があった。また、圧縮機本体に振動が発生した際、真っ直ぐな円筒状のコイルバネが無理矢理斜めに伸縮されるため、コイルバネの強度劣化も生じてしまうという問題もあった。
【０００６】
本発明は、係る従来技術の課題を解決するために成されたものであり、上部リテーナと下部リテーナ間に設けられるコイルバネにおける騒音を低減させ、コイルバネ自体の劣化も抑制することができる圧縮機の支持装置を提供することを目的とする。
【課題を解決するための手段】
【０００７】
即ち、本発明の圧縮機の支持装置は、圧縮機本体に設けた上部リテーナと、密閉ケースに設けた下部リテーナと、これら両リテーナに挿入されたコイルバネとで圧縮機本体を密閉ケース内に支持して成るものであって、コイルバネは、上下端にそれぞれ形成されて上部リテーナ及び下部リテーナにそれぞれ挿入される座巻部と、この上下の座巻部間に位置する有効巻部とから成り、この有効巻部を、一巻き毎にオフセットさせることにより、上下の座巻部を上部リテーナ及び下部リテーナの位置に対応させたことを特徴とする。
【発明の効果】
【０００８】
本発明では、圧縮機本体に設けた上部リテーナと、密閉ケースに設けた下部リテーナと、これらの両リテーナに挿入されたコイルバネとで圧縮機本体を密閉ケース内に支持して成る圧縮機の支持装置において、コイルバネは、上下端にそれぞれ形成されて上部リテーナ及び下部リテーナにそれぞれ挿入される座巻部と、この上下の座巻部間に位置する有効巻部とから成り、この有効巻部を、一巻き毎にオフセットさせることにより、上下の座巻部を上部リテーナ及び下部リテーナの位置に対応させたので、取り付け状態においてコイルバネには無理な力が加わらなくなる。これにより、圧縮機本体に振動が発生してコイルバネが伸縮した場合でも、コイルバネに不規則な変形が生じることを防止することができ、圧縮機本体の振動を円滑に吸収することができるようになる。また、コイルバネのコイルが相互に接触することによる騒音も低減させることが可能となり、コイルバネ自体の劣化も抑制することができるようになるものである。
【発明を実施するための最良の形態】
【０００９】
本発明は、コイルバネのコイルが相互に接触して発生する騒音を防止することを特徴とする。コイルからの騒音を防止するという目的を、有効巻部を一巻き毎にオフセットすることにより実現したものである。
【００１０】
次に、図面に基づき本発明の実施の形態を詳述する。図１は本発明の一実施例を示す支持装置を備えた圧縮機１の縦断側面図、図２は本発明の圧縮機１の支持装置を構成するコイルバネ１１の正面図をそれぞれ示している。図１に示す１は、密閉ケース２内に圧縮機部３と電動機部４からなる圧縮機本体５を収納している密閉型圧縮機である。６は前記圧縮機本体５の枠体７に鋳鉄の鋳造により一体に形成された上部リテーナで、この上部リテーナ６の下端近傍は先細りに形成されて後述するコイルバネ１１の上座巻部１２（図２に図示）が挿入し易くされている。この上部リテーナ６は圧縮機本体５の枠体７に３箇所乃至４箇所鋳造により形成され、その表面を切削加工して仕上げられている。尚、図１では上部リテーナ６を１箇所のみ図示する。
【００１１】
９は、密閉ケース２の内壁に予め固着された金具１０に別個に取り付けられ、各上部リテーナ６に対応して設けられた下部リテーナで、この下部リテーナ９の上端近傍は先細りに形成されてコイルバネ１１の下座巻部１４（図２に図示）が挿入し易くされている。即ち、本発明における圧縮機の支持装置は、圧縮機本体５の枠体７に鋳鉄の鋳造により一体に形成された上部リテーナ６と、密閉ケース２の内壁に予め固着された金具１０に別個に取り付けられた下部リテーナ９と、上部リテーナ６と下部リテーナ９に挿入されるコイルバネ１１とから構成される。係る密閉ケース２に設けた下部リテーナ９に対して、圧縮機本体５に設けた上部リテーナ６は、下部リテーナ９より密閉ケース２の中心方向に所定寸法離間して内側に位置して設けられている。そして、コイルバネ１１は線径１．５ｍｍ程度のコイル１１Ａから成り、前記上部リテーナ６と下部リテーナ９の双方に挿入される。
【００１２】
このコイルバネ１１は、図２に示すように円筒状に形成され、上側においてコイル１１Ａを密着巻きに巻回した上座巻部１２と、下側において同様に密着巻きされた下座巻部１４と、上座巻部１２と下座巻部１４との間に位置し、所定の間隔を存してコイル１１Ａが複数回巻回された有効巻部１３とから形成されている。
【００１３】
コイルバネ１１は、有効巻部１３が伸張、圧縮する伸縮型のコイルスプリングで、上座巻部１２と下座巻部１４との端面は研磨加工により研削されて平らに形成されている。上座巻部１２は、上部リテーナ６の先細り側から当該上部リテーナ６に押圧して容易に嵌着可能な内径に形成されると共に、下座巻部１４も下部リテーナ９の先細り側から当該下部リテーナ９に押圧して容易に嵌着可能な内径にて形成されている。
【００１４】
また、上座巻部１２の中心線１２Ａと下座巻部１４の中心線１４Ａとは鉛直方向で所定寸法（図中矢印範囲）ずれている。即ち、上座巻部１２の中心線１２Ａを、圧縮機本体５に設けた上部リテーナ６の中心線に合致させた場合、下座巻部１４の中心線１４Ａが、密閉ケース２に設けた下部リテーナ９の中心線に合致するように構成されている。
【００１５】
一方、有効巻部１３では、コイル１１Ａを一巻き毎にオフセットして巻回されている。この場合、有効巻部１３は上座巻部１２と下座巻部１４間において、略直線的に傾斜するように一巻き毎にオフセットされ、これによって、上述の如く中心線がずれた上座巻部１２と下座巻部１４とを結んでいる。
【００１６】
このようにコイルバネ１１を、上下端にそれぞれ形成されて上部リテーナ６及び下部リテーナ９にそれぞれ挿入される上座巻部１２及び下座巻部１４と、この上下座巻部１２、１４間に位置する有効巻部１３とから構成し、この有効巻部１３を、一巻き毎にオフセットさせることにより、下座巻部１４に対して上座巻部１２を所定寸法ずらし、下部リテーナ９とこの下部リテーナ９に対して所定寸法密閉ケース２の中心方向にずれた上部リテーナ６の位置に下座巻部１４と上座巻部１２をそれぞれ対応させているので、圧縮機本体５に振動が発生してコイルバネ１１が伸縮した場合などでも、コイルバネ１１に不規則な変形が生じてしまうのを防止することが可能となる。
【００１７】
これにより、上部リテーナ６を一体に形成した枠体７が密閉ケース２に当たって発生する異音を防止しつつ、圧縮機本体５の振動を円滑に吸収することができる。また、コイルバネ１１のコイルが相互に接触することによる騒音も低減させることが可能となり、更に、コイルバネ１１自体の劣化も抑制することができるようになる。
【００１８】
尚、実施例では、一巻き毎にオフセットした有効巻部１３を備えたコイルバネ１１の上座巻部１２を上部リテーナ６に挿入すると共に、下座巻部１４を下部リテーナ９にそれぞれ挿入したが、上部リテーナ６及びコイルバネ１１の上座巻部１２の端面、或いは、側面に予め位置決め用の目印を設ければ、コイルバネ１１の挿入方向を容易に位置決めすることができるので、上座巻部１２を上部リテーナ６に押圧して容易に嵌着することができるようになる。
【００１９】
これにより、コイルバネ１１の挿入方向を容易に把握することができ、コイルバネ１１の挿入作業を極めて容易に行うことができるようになる。また、位置決め用の目印を設けることにより、下部リテーナ９に対して所定寸法密閉ケース２の中心方向にずらした上部リテーナ６方向に、一巻き毎にオフセットしたコイルバネ１１の方向を合わせることができるので、一巻き毎にオフセットしたコイルバネ１１の方向が下部リテーナ９に対して所定寸法密閉ケース２の中心方向にずれた上部リテーナ６方向以外の方向に挿入されてしまうのを確実に阻止することができる。これにより、下座巻部１４に対して上座巻部１２を所定寸法ずらした方向以外に、一巻き毎にオフセットしたコイルバネ１１の方向がずれて、コイルバネ１１に不規則な変形が生じてしまうなどの不都合を確実に防止することが可能となる。これらにより、コイルバネ１１の挿入作業性が容易となり、圧縮機１の支持装置の組み立て作業を極めて容易に行うことができるようになる。
【００２０】
係る位置決め用の目印としては、コイルバネ１１のコイル１１Ａ端部を所定の位置で外側に折り曲げたり、ペイントなどで色を付けると共に、上部リテーナ６或いは下部リテーナ９に図示しない孔や傷或いはペイントなどで色を付ければ良い。また、位置決め用の目印はコイルバネ１１のどちらかの端部の一方に設ければ、他の一方は必然的に位置決めされるので、位置決め用の目印はコイルバネ１１のどちらか一方の端部に設ければ良い。勿論、コイルバネ１１の両端部に位置決め用の目印を設けても良い。この場合、コイルバネ１１のどちらの端部を挿入しても位置決め用の目印があるので、コイルバネ１１の取り付け作業性を大幅に向上させることができる。尚、コイルバネ１１のどちらか一端に、上部リテーナ６或いは下部リテーナ９方向に折り曲げた折曲部を設けると共に、上部リテーナ６或いは下部リテーナ９にコイルバネ１１の折曲部を挿入可能な孔を設ければ、更に容易にコイルバネ１１の位置決めを行うことができるようになり、圧縮機１の組み立て作業性を大幅に向上させることができるようになるものである。
【図面の簡単な説明】
【００２１】
【図１】本発明の一実施例を示す支持装置を備えた圧縮機の縦断側面図である。
【図２】本発明の圧縮機の支持装置を構成するコイルバネの正面図である。
【符号の説明】
【００２２】
１  圧縮機
２  密閉ケース
３  圧縮機部
４  電動機部
５  圧縮機本体
６  上部リテーナ
７  枠体
９  下部リテーナ
１０  金具
１１  コイルバネ
１１Ａ  コイル
１２  上座巻部
１３  有効巻部
１４  下座巻部
【図１】
2006002684.tif 000003
【図２】
2006002684.tif 000004